(57)【要約】      （修正有）【課題】入れ歯に損傷を与えることなくほぼ完全な洗浄を行うことができ、また高齢者でも操作し易く、安価に製造可能な構造の入れ歯洗浄容器を提供する。【解決手段】内部が中空の筒状に形成した外容器１と、外容器１に冠着される蓋体と、適宜な隙間を存して外容器の内部に着脱自在に納置される内容器４とを備えて成る入れ歯洗浄容器であって、前記内容器４の側部と底部の一方または両方に多数の排水孔４５を形成するとともに、内容器４の外側底部に複数個の支持片４４を突設することにより、外容器１の内周面と内容器４の外周面間が離間し、且つ内容器の上端が外容器の上端よりも上方に位置する形状の汚水の排出手段を設け、流水による入れ歯の洗浄後に入れ歯用発泡洗浄剤を用いるように構成する。【選択図】図３
2010279663.tif 000002
【特許請求の範囲】
【請求項１】
入れ歯用発泡洗浄剤の使用前に流水による入れ歯の洗浄処理を行うべく、内部が中空の筒状に形成した外容器と、その外容器に冠着される蓋体と、外容器内に着脱自在に納置される内容器とを備えて成る入れ歯洗浄容器であって、前記した内容器は、その内部中央につまみ棒が立設され、且つその側部と底部の一方または両方に多数の排水孔を形成して成るとともに、外容器の内周面と内容器の外周面の間に汚水の排出手段を設けたことを特徴とする入れ歯洗浄容器。
【請求項２】
上記した汚水の排出手段を、外容器の内周面と内容器の外周面間に隙間を設けるとともに、内容器の下部に複数個の支持片を突設して内容器の上端が外容器の上端よりも上方に位置するように設定し、入れ歯の付着物が流水と共に外容器の外方へ排出可能に構成したことを特徴とする請求項１に記載の入れ歯洗浄容器。
【発明の詳細な説明】
【技術分野】
【０００１】  本発明は、市販の入れ歯用発泡洗浄剤（以下、洗浄剤と略称する）を使用する場合に、その前処理として、入れ歯に付着した食物の残滓や汚れ、唾液等（これらを入れ歯の付着物と称する）を、主として水道水を用いた流水で洗い流すように形成した入れ歯洗浄容器に関するものである。
【背景技術】
【０００２】  従来より汎用されている入れ歯洗浄容器は、単純な形状の円筒形容器とその蓋体とにより形成されたもので、入れ歯と水を収容した容器内に洗浄剤を投入し、その洗浄剤の洗浄力によって入れ歯を洗浄するように構成されている。しかしながら従来から行われているこのような洗浄方法では、入れ歯の付着物を完全に除去し難いという不具合があった。【０００３】  上述のような不具合を解消するために、例えば洗浄容器の口に網目の蓋を取付け、内部に入れ歯と直方体金属粒子を収容し、水流を利用して直方体金属粒子を回転させることにより、入れ歯を洗浄するように構成したものが提案されている（特許文献１参照）。また入れ歯を載置するための吹気部材を洗浄容器内に配置し、その吹気部材に形成された吹気孔に給気装置から気体を供給し、吹き出される多数の気泡によって入れ歯を洗浄する構成の入れ歯洗浄器も開示されている（特許文献２参照）。
【特許文献１】実用新案登録第３１２３２７０号公報
【特許文献２】特開２００９−２２３５９号公報
【発明の開示】
【発明が解決しようとする課題】
【０００４】  上記した特許文献１の入れ歯洗浄機は、洗浄剤を使用せずに、直方体金属粒子を用いて機械的に洗浄するようになっているので、この直方体金属粒子の形状が大きい場合は、金属粒子の隅角部が衝突して入れ歯に損傷を与えやすく、また該直方体金属粒子の形状が網目の大きさよりも小さい場合は、排出される水と共に容器外へ流失してしまい、洗浄効果が期待できないという大きな欠点があった。【０００５】  また特許文献２の入れ歯洗浄器は、洗浄用液体と気泡によって入れ歯を洗浄するようになっているので入れ歯に損傷を与えるようなことはないが、電源用コンセントが利用可能な場所で洗浄作業を行う必要があるとともに、構造が複雑なためコスト高となり、商品価格が高額になるという重大な問題点があった。【０００６】  そこで本発明は、水道水の水流を利用して入れ歯を洗浄した後に、市販の洗浄剤を用いてさらに洗浄するように構成し、入れ歯に損傷を与えることなくほぼ完全な洗浄を行うことができ、また高齢者でも操作し易く、且つ安価に製造可能な構造の入れ歯洗浄容器を提供しようとするものである。
【課題を解決するための手段】
【０００７】  本発明における請求項１に記載した入れ歯洗浄容器は、洗浄剤の使用前に流水による入れ歯の洗浄処理を行うべく、内部が中空の筒状に形成した外容器と、該外容器に冠着される蓋体と、外容器内に着脱自在に納置される内容器とを備えて成る入れ歯洗浄容器であって、前記した内容器は、その内部中央につまみ棒が立設され、且つその側部と底部の一方または両方に多数の排水孔を形成して成るとともに、外容器の内周面と内容器の外周面間に汚水の排出手段を設けて構成したものである。【０００８】  このような構成とすることによって、内容器の上方から注入された水道水は、入れ歯の周囲を洗い流して付着物を取り除いた後、その付着物と共に外容器の外方に排出されるので、洗浄剤による洗浄と相俟って、入れ歯をほぼ完全に洗浄することができる。【０００９】  請求項２に記載の本発明は、請求項１に記載した入れ歯洗浄容器において、上記した汚水の排出手段を、外容器の内周面と内容器の外周面間に隙間を設けるとともに、内容器の下部に複数個の支持片を突設して内容器の上端が外容器の上端よりも上方に位置するように設定し、入れ歯の付着物が流水と共に外容器の外方へ排出可能に構成したものである。【００１０】  汚水の排出手段をこのように構成することにより、入れ歯の付着物を含んだ前処理後の水を、迅速に外部へ排出することができる。
【発明の効果】
【００１１】  本発明は、水道水の水流を利用して入れ歯の付着物を洗い流した後に、市販の洗浄剤による洗浄を行うように構成されているので、入れ歯に損傷を与えることなくほぼ完全に洗浄を行うことができるという特筆すべき効果があるとともに、家庭内に配線された電気や電池等が不要であるので、安全且つ省エネルギーで長期間の使用に耐えることができ、さらに洗浄作業を行う場所も、水道水が利用可能であれば如何なる場所でも迅速に洗浄することができるという極めて顕著な効果を奏するものである。また本発明品は構造が簡単なために安価に製造することができるばかりでなく、高齢者でも簡単容易に使用することができるという大きな利点がある。なおまた本発明は、外容器と蓋体を不透明または透明度の低い半透明な素材で形成してあるので、他者に不快感を抱かせることがないという長所もある。
【発明を実施するための最良の形態】
【００１２】  以下に本発明の最良の実施形態を図面に基いて説明するが、本発明は、内部が中空の筒状に形成した外容器１と、該外容器１に冠着される蓋体２と、外容器内に着脱自在に納置される内容器４とにより構成されるものであり、またその外容器１と内容器４の間には、入れ歯の洗浄によって汚れた水の排出手段が設けられている。なお図１は本発明の入れ歯洗浄容器の一部切欠分解斜視図であり、図２は正面図である。また図３は使用状態を示す断面図である。【００１３】  外容器１は、不透明または透明度の低い半透明な合成樹脂や陶磁器等を用いて、上部が開放され、且つ内部が中空の筒状に設けられたものであり、また該外容器１に冠着可能に形成された蓋体２は、前記外容器１と同一の素材によってほぼ同一形状に形成されたものである。なおこの外容器１と蓋体２の開口部の周囲には、雄状と雌状の螺子から成る螺合部３が設けられているので、蓋体２は、この螺合部３を介して冠着されるものであるが、この部分にゴムパッキン等を施すようにすれば、水漏れを防止することができるのでさらに好適である。【００１４】  上部が開放された筒状に形成された内容器４は、その外周面と外容器の内周面との間に隙間５を設けるべく、その外径寸法を外容器３の内径寸法よりもやや小径に形成するとともに、内容器４の下部に後述するような支持片４４を突設し、さらに側部４１の下半部と底部４２には、図示のような多数の排水孔４５が設けられている。なお本実施形態では、排水孔４５を側部４１の下半部と底部４２の両方に設ける例を示したが、この排水孔４５は側部４１のみまたは底部４２のみに配置してもよい。なおまたこの内容器４は、前記外容器１や蓋体２とは異なり、製造素材や透明度が限定されるものではない。【００１５】  また前記内容器４の内部中央には、図１および図３に示すように、内容器内を縦状に貫設するような形態でつまみ棒４３が取付けられていて、内容器４の着脱操作に際しては、このつまみ棒４３を利用するようになっている。【００１６】  さらに、外容器１の内周面（外容器の内側面と内底面を合わせた部分）と内容器４の外周面（内容器の外側面と外底面を合わせた部分）の間には、入れ歯７の洗浄によって汚れた水の排出手段が設けられている。この排出手段は、上述した如くに、内容器４の外径寸法を外容器１の内径寸法よりもやや小径に形成することにより、両容器の側面間に隙間５を形成するとともに、内容器４の下面に複数個（本実施形態では４個）の支持片４４を突設して、両容器の底面間にも隙間５を形成し、且つ使用時における内容器４の上端が外容器１の上端よりも上方に位置するような構造となっている。この支持片４４は、小さな長方形の角柱状に設けられたもので、外底面における外周寄りにほぼ等間隔を置いて取付けられているもので、汚水の排出手段の一部を構成するとともに、内容器４を安定した状態で外容器１内に納置する役目も担っている。【００１７】  なお本発明においては、両容器の底面間における隙間の形成方法を上記の支持片４４に限定するものではないので、以下に、図示しない他の形成方法を例示する。
まず第１の例としては、外容器１の底部中央に嵌入孔付き支持体を突設し、また内容器４内に立設されたつまみ棒４３の下部に挿入部を延設し、その挿入部を嵌入孔に嵌め入れる構造がある。また第２の例としては、外容器１の内底部に適宜な桟を取付け、その桟上に内容器４を載せるような構造を挙げることができる。【００１８】  次に、図３を参照しながら、本発明の使用方法について説明するが、本発明は、入れ歯の付着物を水道水によって洗い流す前処理を行った後に、市販の洗浄剤を用いて更に洗浄するようになっているので、例えば就寝前に入れ歯を洗浄する場合を例として、以下に使用手順を説明する。【００１９】  まず外容器１に内容器４を納置して、両容器を使用形態にセットした後、口から外した入れ歯７を内容器内に収容する。続いて蛇口６から水Ｗを勢いよく注入すると、注入された水Ｗは内容器４の内部を回流して食物の残滓や汚れ等を剥ぎ落し、その剥ぎ落した入れ歯の付着物と共に排水孔４５から隙間５へ排出され、外容器１の上面へ運ばれて開口部から外部へ放出されるようになっている。なおこの場合に、つまみ棒４３を介して内容器４を上下方向に振動させるようにしてもよい。【００２０】  このようにして入れ歯７の水洗を終了した後に、つまみ棒４３を持って内容器４を引き上げ、外容器１内に残った水を捨てて内容器４を元位置に戻し、入れ歯７の全体が水没する程度の新しい水を注入し、市販の洗浄剤を投入する。最後に外容器１に蓋体２を冠着して所定の保管場所に保管し、就寝する。【００２１】  本発明は以上のように構成され、また使用されるものであるが、この場合に、入れ歯７は不透明または透明度の低い容器に収容されており、入れ歯７を外側から視認することができないようになっているので、他者に不快感を与えることがないようになっている。
【図面の簡単な説明】
【００２２】
【図１】本発明に成る入れ歯洗浄容器の一部切欠分解斜視図である。
【図２】本発明に成る入れ歯洗浄容器の正面図である。
【図３】本発明の使用状態を示す断面図である。
【符号の説明】
【００２３】  １  外容器
２  蓋体
３  螺合部
４  内容器
５  隙間
４１  内容器の側部
４２  内容器の底部
４３  つまみ棒
４４  支持片
４５  排水孔
Ｗ  水
【図１】
2010279663.tif 000003
【図２】
2010279663.tif 000004
【図３】
2010279663.tif 000005